(57)【要約】  【課題】  記録として足型や手型を展示する場合に、より現実感を持たせることを課題とする。  【解決手段】  記録パネルとして、板状のパネル本体と、所定の人の足首より先の複製物もしくは所定の人の手首より先の複製物であって、前記パネル本体に切断面側を貼り付けられる記録レプリカとにより構成する。このような構成を有することにより、人の足首や手首より先の立体的な複製物を展示するので、平面や凹面で表される足型等に比較して、現実感をもたらすことができる。【選択図】  図１
0003110726.tif 000002
【実用新案登録請求の範囲】
【請求項１】
板状のパネル本体と
所定の人の足首より先の複製物もしくは所定の人の手首より先の複製物であって、前記パネル本体に切断面側を貼り付けられる記録レプリカと、
を有する記録パネル。
【請求項２】
前記人は乳幼児であり、前記記録レプリカは左右の足首より先の複製物である足型であって、各足型の左右が一致するように前記パネル本体に貼り付けられるものであり、
前記パネル本体には、前記人の上半身の写真もしくは絵が、前記人の頭部が前記足型の間の位置から指先側上方までのいずれかの範囲に配置されるように表される
請求項１に記載の記録パネル。
【請求項３】
前記人体レプリカは手首より先の複製物である手型であって、
前記パネル本体には、前記人の写真もしくは絵が、前記人の頭部が前記手型の親指側の側方の位置から指先側上方までのいずれかの範囲に配置されるように表される
請求項１に記載の記録パネル。
【請求項４】
前記パネル本体もしくは前記パネル本体近傍に設けられる掲示物に前記人に関する情報を表記した請求項１から３のいずれか１項に記録パネル。
【考案の詳細な説明】
【技術分野】
【０００１】
本考案は人の足や手の模造物を記録として展示するパネルに関する。
【背景技術】
【０００２】
乳幼児時代の記念として足型や手型を採って記録することは広く行われている。また、下記の特許文献１から３には、足型等を型取り材を用いて立体的に記録することも示されている。特許文献１、２には、足型等と乳幼児の写真をパネル等に展示することが示され、また、特許文献３には足型等と乳幼児に関する記録をパネル等に展示することが示されている。
【特許文献１】特開２００２−１５３３６５号公報
【特許文献２】登録実用新案３０５８４８５号公報
【特許文献３】実開平２−４４０７２号公報
【考案の開示】
【考案が解決しようとする課題】
【０００３】
ところで、従来の記録のための足型や手型は、平面もしくは凹面に表されるものであり、実際の足や手とは外見もかなり異なっているため、実感が伴わないという問題がある。
そこで、本考案は、記録として足型や手型を展示する場合に、より現実感を持たせることを課題とする。
【課題を解決するための手段】
【０００４】
上記課題を解決するために、本考案は次のような構成を有する。
請求項１に記載の考案は、板状のパネル本体と、所定の人の足首より先の複製物もしくは所定の人の手首より先の複製物であって、前記パネル本体に切断面側を貼り付けられる記録レプリカを有する記録パネルである。
請求項２に記載の考案は、前記記録パネルにおいて、前記人は乳幼児であり、前記記録レプリカは左右の足首より先の複製物である足型であって、各足型の左右が一致するように前記パネル本体に貼り付けられるものであり、前記パネル本体には、前記人の上半身の写真もしくは絵が、前記人の頭部が前記足型の間から指先側上方までのいずれかの範囲に配置されるように表されるものである。なお、ここでの上半身は少なくとも胸から上が含まれていれば足りる。
請求項３に記載の考案は、請求項１に記載の記録パネルにおいて、前記人体レプリカは手首より先の複製物である手型であって、前記パネル本体には、前記人の写真もしくは絵が、前記人の頭部が前記手型の親指側の側方の位置から指先側上方までのいずれかの範囲に配置されるように表されるものである。
請求項４に記載の考案は、前記記録パネルにおいて、前記パネル本体もしくは前記パネル本体近傍に設けられる掲示物に前記人に関する情報を表記したものである。
【考案の効果】
【０００５】
請求項１に記載の考案は、人の足首や手首より先の立体的な複製物を展示するので、平面や凹面で表される足型等に比較して、現実感をもたらすことができる。
請求項２に記載の考案は、複製物を乳幼児の左右の足型として、この左右の足型の間から指先側のいずれかの位置に頭部が配置されるように乳幼児の写真もしくは絵を配置することで、乳幼児があたかも足を投げ出して座っているかのような状態をパネルに表すことができる。
請求項３に記載の考案は、複製物を手型として、この手型の親指側の側方の位置から指先側上方までのいずれかの範囲に人の頭部が配置されるように人の写真もしくは絵を配置することにより、人が手を胸元から顔の横に位置づけた状態をパネルに表すことができる。
請求項４に記載の考案は、前記パネルもしくはパネル近傍に設けられる掲示物に前記人に関する情報を表記することで、記録としての価値を高くすることができる。
【考案を実施するための最良の形態】
【０００６】
以下、本考案の実施形態について、図を参照しながら説明する。
図１に本考案に係る記録パネルＸの正面図を示し、図２に図１のＡ−Ａ断面図を示す。記録パネルＸは板状のパネル本体１０と、乳幼児の左右それぞれの足首より先の複製物である記録レプリカとしての足型２０ａ、２０ｂと、パネル本体１０の外縁前部に設けられる、木製の板状体をロの字状に形成した枠体４０と、枠体４０の内側下方右前部に固定される掲示物３０と、枠体４０の前面にはめ込まれる透明なガラス板５０とから構成される。なお、図１ではガラス板５０は便宜上透明なものとして背面部分が見えるように表している。
足型２０ａ、２０ｂは、所定の乳幼児の足首から先の部分を型取りして石膏型を作り、これを用いて石膏により成型したものである。足型２０ａは左足のものであり、足型２０ｂは右足のものであり、互いに一定の距離をおいて左右が一致するように足首に位置する切断面側をパネル本体２０ａのやや下方に接着剤で貼り付けられている。
パネル本体１０はほぼ正方形状の木製の板材が使用され、前面に足型２０ａ、２０ｂの型取りをした乳幼児の写真１０ａが貼り付けてある。写真１０ａはこの乳幼児の上半身であり、足型２０ａ、２０ｂの間から指先側へずれた位置にかけて頭部が表れるように形成されている。このようにすることで、乳幼児があたかも足を投げ出して座っているかのような状態をパネルに表すことができる。また、このように表される程度に写真１０ａの乳幼児の上半身の大きさが定められている。なお、写真１０ａの足が貼り付けられる部分には予め穴が開いており、この穴を介してパネル本体１０に足型２０ａ、２０ｂは貼り付けられている。
【０００７】
掲示物３０は、金属性の円盤状のやや厚みのあるプレートであり、表側に乳幼児に関する情報の表記として体重、身長、血液型が刻印されている。掲示物３０も接着剤により枠体４０に固定されている。
本実施形態にかかる記録パネルＸは上記のような構成を有することにより、乳幼児の写真と、足の複製物である足型が写真の乳幼児とを渾然一体となって表すことができ、記録としての現実感を高めることができ、また、掲示物により乳幼児の記録を示すことで記録としての価値を高めることができる。
なお、上記実施の形態では、写真を用いているが似顔絵などの絵を用いることもできる。また、上記実施の形態では、写真を貼り付けているが、パネル本体に直接印刷したり、絵の場合は直接描いたりすることもできる。さらに、乳幼児に関する表記を掲示物に表しているがこれはパネル本体に直接表してもよい。さらに、ここでは、記録レプリカとして足の複製物である足型を使用したが、手首より先の手型を使用してもよい。手型の場合は、乳幼児の写真等との関係において少なくとも上半身が表れていれば、胸元から顔の横辺りに手型を位置づけることで写真等と手型を一体的に表すことができ、また、手型の場合は片手のみでも違和感はない。
【図面の簡単な説明】
【０００８】
【図１】実施形態に係る記録パネルの正面図である。
【図２】図１のＡ−Ａ断面図である。
【符号の説明】
【０００９】
Ｘ      記録パネル
１０    パネル本体
１０ａ  写真
２０ａ、２０ｂ  足型  
３０    掲示物
４０    枠体
５０    ガラス板
【図１】
0003110726.tif 000003
【図２】
0003110726.tif 000004